(57)【要約】【課題】ターミナルが多数並列される方向におけるコネクタの寸法を小さくすること。【解決手段】  導体３０２を絶縁体３０４で被覆してなるケーブル３００が取り付けられるコネクタ１に適用され、ケーブル３００の導体３０２と半田によって接続されるターミナル１７であって、このターミナル１７は、その一部に前記ケーブル３００の導体３０２を半田付けする半田領域１７４を有し、この半田領域１７４にフィレット収容用の窪み１７４ａを有する。【選択図】図１３
2006244731.tif 000002
【特許請求の範囲】
【請求項１】
導体（３０２）を絶縁体（３０４）で被覆してなるケーブル（３００）が取り付けられるコネクタ（１）に適用され、前記ケーブル（３００）の導体（３０２）と半田によって接続されるターミナル（１７）であって、
このターミナル（１７）は、その一部に前記ケーブル（３００）の導体（３０２）を半田付けする半田領域（１７４）を有し、この半田領域（１７４）にフィレット収容用の窪み（１７４ａ）を有することを特徴とするターミナル。
【請求項２】
前記ターミナル（１７）は、前記半田領域（１７４）がその幅方向において前記ターミナル（１７）の他の部位（１７６）に比べて幅広であり、当該半田領域（１７４）が幅広に形成されることで、前記他の部位（１７６）との境界部分に段差（１７８）を有する段差部（１７９）が形成されていることを特徴とする請求項１に記載のターミナル。
【請求項３】
前記ターミナル（１７）は、二本の立脚（１７１ｆ，１７１ｒ）の上に両脚（１７１ｆ，１７１ｒ）を連結する連結部（１７２）を有してなる双脚形状であって、前記立脚（１７１ｆ，１７１ｒ）の自由端側を前記ターミナル（１７）の先端としてコネクタ（１）のハウジング（７）に差し込まれ、前記半田領域（１７４）は、前記連結部（１７２）の一面であって前記ターミナル（１７）の差し込み方向と反対方向の面に形成され、前記段差部（１７９）は、前記連結部（１７２）の両側面に前記半田領域（１７４）に連続して形成され、かつ前記他の部位よりも突出した島状領域であることを特徴とする請求項２に記載のターミナル。
【請求項４】
前記窪み（１７４ａ）は前記連結部（１７２）の長手方向に沿って形成されていることを特徴とする請求項３に記載のターミナル。
【請求項５】
前記窪み（１７４ａ）はその横断面で底面が弧状であることを特徴とする請求項４に記載のターミナル。
【請求項６】
導体（３０２）を絶縁体（３０４）で被覆してなるケーブル（３００）が取り付けられるコネクタ（１）であって、
前記ケーブル（３００）が取り付けられるハウジング（７）と、
このハウジング（７）に保持され、前記ケーブル（３００）の導体（３０２）と接続されるターミナル（１７）とを備え、
このターミナル（１７）に請求項１から５のいずれかに記載のターミナルを適用したことを特徴とするコネクタ（１）。
【発明の詳細な説明】
【技術分野】
【０００１】
本発明はターミナルおよびこのターミナルを用いたコネクタに関する。
【背景技術】
【０００２】
携帯電話機やパーソナルコンピュータ等、多量の情報を伝達するために高い周波数の信号を伝達するケーブルとして、同軸ケーブルが周知である。
【０００３】
図３７および図３８に示すように、同軸ケーブル３００は、中心に位置する内部導体３０２を内部絶縁体３０４で被覆してなる信号線３０６と、信号線３０６を被覆する多数の電線を横巻き状又は網状にしてなる外部導体３０８と、この外部導体３０８を被覆する外部絶縁体３１０とからなる。
【０００４】
同軸ケーブル３００をコネクタに接続する場合、半田付け方式、圧接方式その他の接続方式が採用されるが、半田付け方式により接続する場合、図３９に示すように外部絶縁体３１０及び内部絶縁体３０４を剥ぎ、外部導体３０８及び内部導体３０２を露出後、外部導体３０８を紐状に撚って、内部導体３０２及び外部導体３０８をそれぞれコネクタのターミナル３１２へ半田付けしなければならない。なお溶融した半田（溶融半田）Ｈが固まってできた部位をフィレットＦｈという。
【０００５】
また、近年、コネクタの多極化が進み、コネクタに多数のターミナルを並列させ、これらのターミナルに多数の同軸ケーブルからなるフラット状のケーブルが接続されるコネクタが知られている。
【０００６】
ところで多数の同軸ケーブルをターミナルに半田付けする場合、半田強度を確保するために、フィレットはある程度の大きさを必要とする。フィレットは、既述のように、溶融した半田が固まってできたものであるから、半田付けをすると溶融半田はターミナル表面を幾分流れる。したがってターミナルのうちフィレット形成箇所は、溶融半田がターミナル表面を流れることを考慮してある程度余裕を持って寸法が決められる。また、溶融半田が隣接するターミナルに向けて流れても隣接するターミナルにまで及ばないように、隣り合うターミナル間には適度の隙間を確保しなければならない。
【０００７】
しかし、ターミナルの間に適度の隙間を確保しても、ターミナル自体が小さければ、当該ターミナル間の隙間も当然小さくなるため、その場合、溶融半田が隣接するターミナルにまで流れてしまうことが考えられる。また、ターミナルのうちコネクタと対の関係にある相手方コネクタのターミナルに接続する部分にまで溶融半田が流れてしまうと、溶融半田を介する分だけ接触抵抗が上昇し、相手方コネクタを破損させてしまい、コネクタと相手方コネクタとの接触信頼性欠如の要因ともなりかねない。
【０００８】
そこで、コネクタのターミナルにおいて半田付けがされる箇所と、コネクタと相手方コネクタとを接続した場合に両コネクタの各ターミナルが接続される箇所との間の隙間をオーバーモールドによって埋めてしまう方法が考えられるが、０．３ｍｍ以下の狭ピッチでは、オーバーモールドによる製造は極めて困難である。
【０００９】
一方、軽薄短小化の社会的ニーズは年々高まっており、コネクタの外形寸法を大きくできない。このため、コネクタを構成する構成部品を改良して上記問題に対処せざるを得ない。
なお、コネクタと同軸ケーブルその他電線との半田による接続技術としては、例えば特
許文献１〜３を例示できる。
【特許文献１】特開平１１−２６０４３９
【特許文献２】特開２００２−３２４５９２
【特許文献３】特開平６−４５０３５
【発明の開示】
【発明が解決しようとする課題】
【００１０】
本発明はこのような実情に鑑みて為されたものであり、その解決しようとする課題は、狭ピッチで配列された多数のターミナルにケーブルが半田により接続されるコネクタにおいて、ターミナル上にて半田がされる領域である半田領域から溶融半田が流れ出てしまうことを抑制しながら、ターミナルと同軸ケーブルとを半田付けする際に形成されるフィレットの強度を確保し、もって狭ピッチのコネクタにおいてターミナルとケーブルとの半田付けが適正にされるようにするとともに、溶融半田が、譬えターミナルのうち相手方ターミナルとの接触箇所にまで流れてしまうほどにその量が多くてもこれを効果的に抑制することができる技術を提供することにある。
【課題を解決するための手段】
【００１１】
そこで、本発明では、次の手段を採用した。
すなわち、本発明のターミナルは、導体を絶縁体で被覆してなるケーブルが取り付けられるコネクタに適用され、前記ケーブルの導体と半田によって接続されるターミナルであって、このターミナルは、その一部に前記ケーブルの導体を半田付けする半田領域を有し、この半田領域にフィレット収容用の窪みを有することを特徴とする。
【００１２】
本発明のターミナルは窪みがあるので、溶融半田は広がらず窪み内に収容されてそこでフィレットが形成される。よって、半田領域に窪みが無い従来のターミナルの場合と比べ、フィレットはターミナル表面を広がり難くなる。窪み内にフィレットが形成されるようになることで、ターミナルとケーブルの導体との間に形成されるフィレットの体積が増加する。
また、ターミナルの半田領域をその幅方向においてターミナルの他の部位に比べて幅広に形成することで、前記他の部位との境界部分に段差を有する段差部を形成しておけば段差部の周囲に溶融した半田が回り込むため、段差部が形成されていない場合に比べ、溶融半田が他の部位に不必要に拡がるのを抑制する。
【発明の効果】
【００１３】
この結果、フィレットを介してターミナルに結合される導体のターミナルに対する結合力は、フィレットの幅寸法を小さくしてもその強度を保持できるので、ターミナルとケーブルとの結合力をこれまで通り維持しながら、ターミナル同士の間の間隔を小さくできる。よって、多数のターミナルが並列されるコネクタにおいて、ターミナルが並列される方向における寸法を小さくできる。
また、溶融半田の量が多くてもターミナルのうち相手方ターミナルとの接触箇所にまで流れてしまうことを効果的に抑制できる。
【発明を実施するための最良の形態】
【００１４】
以下、本発明の実施の形態（以下、実施形態）を添付した図面を参照して説明する。
図１は、本発明に係るコネクタ１の斜視図であって、相手方コネクタ２に組み付ける前の状態を相手方コネクタ２と共に示す斜視図である。また、図２は相手方コネクタ２と組み合わせた状態を示す斜視図である、なお、図２において図示を省略してあるが、同軸ケーブル３００の他方の端部にもコネクタ１は取り付けられ、相手方コネクタ２と組み付けられるようになっている。図３は、想像線で示した折り畳み形式の携帯電話３に両コネクタ１，２を適用した場合を例示している。
【００１５】
同軸ケーブル３００の一端に設けられたコネクタ１は、携帯電話３の液晶画面側３ａの基板（図示せず）に設けられた相手方コネクタ２と接続され、図示を省略した同軸ケーブル３００の他端に設けられた別のコネクタ１は、携帯電話３の操作ボタン側３ｂの基板に設けられた別の相手方コネクタ２と接続されている。よって携帯電話３の液晶画面側３ａと操作ボタン側３ｂとの間では、コネクタ１および相手コネクタ２を両端に有する同軸ケーブル３００を経由して、操作ボタン３ｂの側から液晶画面３ａの側に向けて信号が伝達される。
【００１６】
コネクタ１は、図１，図４〜図７等からわかるように、コネクタ１の基台となるハウジング７と、このハウジング７に含まれるターミナルその他の部品を被覆するためにハウジング７に装着されるシェル９とを有している。
【００１７】
そして、シェル９およびハウジング７の間では、既述の同軸ケーブル３００がフラット状に多数並列され、それらの先端部３００ａ（図５，図６参照）がサンドイッチ状にされて取り付けられる（図４〜図６参照）。
【００１８】
ハウジング７は、合成樹脂その他の絶縁性樹脂でできており、例えば図４からわかるように、平面形状で長四角形状とされ、同軸ケーブル３００の延びる方向に対して直交方向に配置される。またハウジング７は、同軸ケーブル３００の先端部（以下、ケーブル先端部）３００ａが保持されるケーブル保持部１１と、相手方コネクタ２との接合部であり、同軸ケーブル３００と同じ数のターミナル１７が差し込まれるターミナル差込部１３と、ケーブル保持部１１とターミナル差込部１３との中間に位置する中間部１５とを有する（図４〜図６参照）。
【００１９】
これら３つの部位により、コネクタ１を相手方コネクタ２に取り付ける場合において、ハウジング７は、これを横断面で見ると中央部において下方に開口する窪みを有するごとき矩形状をしている（図５参照）。
【００２０】
なお、この明細書において上下とは、各図に正対した場合における上方側及び下方側を指すものとし、前後とは、同軸ケーブル３００をコネクタ１に取り付けた場合における同軸ケーブル３００の延びる方向においてターミナル差込部１３のある側が前であり、ケーブル保持部１１のある側が後である。そして左右とは、同軸ケーブル３００の延びる方向に正対した場合における右側および左側である。なお左右方向のことを幅方向という。
【００２１】
ケーブル保持部１１は、複数の同軸ケーブル３００の外部導体３０８を横断状に交差する状態で保持するとともに（図４〜図１０等参照）、導電性金属からなる一対のケーブル保持具１６Ａ，１６Ｂが複数対と、ケーブル保持具１６Ａ，１６Ｂと同様、導電性金属でできており、複数対のケーブル保持具１６Ａ，１６Ｂと電気的に接触する１つのグランドバー１９とを有する。
【００２２】
ケーブル保持具１６Ａおよび１６Ｂは、ケーブル保持部１１における取り付け位置が異なるだけで全くの同一形状である。よって、一方のケーブル保持具１６Ａのみ説明する。
図１１や図１２に示すように、ケーブル保持具１６Ａは、左右方向に延びる基板部１６ａと、この基板部１６ａから下方に向けて平行に延びる一端固定他端自由な片持ち梁状の多数の脚１６ｂとを有し、これら脚が二脚一組で下方に開口しかつ同軸ケーブル３００と同数かつ逆Ｕ字状をした溝１６ｃが多数形成されてなるものである。溝１６ｃを形成する脚１６ｂ同士の各間口Ｗ１は（図１２，図３３参照）、ハウジング７に設けられケーブル保持具１６Ａ，１６Ｂを装着するためのケーブル保持具装着穴１１１Ａおよび１１１Ｂの各間口Ｗ２（図３３参照）と、ほぼ同じ大きさにされている。
【００２３】
一対のケーブル保持具１６Ａと１６Ｂとには、並列されている複数の同軸ケーブル３００を端（図４の左側）から数えた場合において奇数番目の同軸ケーブル３００Ａを保持するものがケーブル保持具１６Ａであり、偶数番目の同軸ケーブル３００Ｂを保持するものがケーブル保持具１６Ｂであるという違いがある（図４，図８〜図１０参照）。
【００２４】
また、ケーブル保持具１６Ａおよび１６Ｂは、それぞれケーブル保持部１１に設けられた多数のケーブル保持具装着穴１１１Ａおよび１１１Ｂと対応関係にあり（図４，図８，図９参照）、ケーブル保持具装着穴１１１Ａおよび１１１Ｂには、ケーブル保持具１６Ａおよび１６Ｂの各隣接する一対の脚１６ｂ，１６ｂ同士が一組となってケーブル保持具装着穴１１１Ａおよび１１１Ｂに挿入される。
【００２５】
これら一対一組の脚１６ｂ，１６ｂは、複数のケーブル保持具装着穴１１１Ａ又は１１１Ｂに同時に挿入される。なお、一対一組の脚１６ｂ，１６ｂのことを双脚形状部という。
ケーブル保持具装着穴１１１Ａおよび１１１Ｂの総数は、同軸ケーブル３００と同数である。そしてケーブル保持具装着穴１１１Ａおよび１１１Ｂは、これらを前後方向から垂直断面で見ると、截頭二等辺三角形を倒立させたごとき形状でかつ開口が上方で大きく下方で小さい先細りの形状をした穴部である（図８，図９，図３３，図３４参照）。ケーブル保持具装着穴１１１Ａ同士および１１１Ｂ同士の間は、仕切壁１１３とされている（図４参照）。
【００２６】
ケーブル保持具１６Ａおよび１６Ｂは、同軸ケーブル３００の外部導体３０８と当接した状態で同軸ケーブル３００を前記双脚形状部および基板部１６ａにより騎馬状に挟持して保持すべく、ケーブル保持具装着穴１１１Ａ，１１１Ｂに嵌合される（図５，図６参照）。
【００２７】
ケーブル保持具１６Ａ，１６Ｂは、前後方向において平行かつ左右方向に偏倚されて配置される（図４，図８，図９参照）。これを実現するために、ケーブル保持具１６Ａ，１６Ｂが挿入されるケーブル保持具装着穴１１１Ａおよび１１１Ｂは、それぞれ前後方向において平行でかつ左右方向に偏倚された状態で等間隔に多数、ハウジング７の後縁に沿って直線状に形成されている（図４，図８，図９，図２４，図２５参照）。
【００２８】
ケーブル保持具１６Ａ，１６Ｂをケーブル保持具装着穴１１１Ａ，１１１Ｂに挿入することで、同軸ケーブル３００の外部導体３０８がグランドバー１９とケーブル保持具１６Ａ，１６Ｂとによって上下で挟み込まれるとともに電気的に接触する（図５，図６，図８，図１０，図３３，図３４参照）。
【００２９】
グランドバー１９は、ケーブル保持部１１の後方からケーブル保持部１１を上下および後方の三方から挟み込むようにして組み付けられるようになっており（図４参照）、このためグランドバー１９は、横断面で見て溝形鋼を横倒しにした時の横断面のごとき形状となるように、前方および左右に開口した中空四角柱状とされている。またグランドバー１９の上面には、ケーブル保持具装着穴１１１Ａおよび１１１Ｂとそれぞれ対向関係にある貫通孔１９１Ａおよび１９１Ｂが、ケーブル保持具装着穴１１１Ａおよび１１１Ｂと同数形成されている（図４，図６，図２６等参照）。
【００３０】
よって貫通孔１９１Ａおよび１９１Ｂは、それぞれ前後方向において平行でかつ左右方向に偏倚された状態で等間隔に多数、直線状に形成されている。
【００３１】
よって、ケーブル保持部１１の後方からグランドバー１９を組み付けると、ケーブル保
持具装着穴１１１Ａは貫通孔１９１Ａに対して、およびケーブル保持具装着穴１１１Ｂは貫通孔１９１Ｂに対して、上下方向において同一軸線上に位置するようになる（図８，図９参照）。
【００３２】
ハウジング７のターミナル差込部１３は、ターミナル１７が上方から圧入される差込孔１３１が形成されている（図４〜図６参照）。差込孔１３１は、前後方向に延びる長孔であり、その内部には（図５，図６参照）、ターミナル１７が外嵌されることでこれを保持するターミナル保持部１３３が形成されている。
【００３３】
ターミナル１７は、同軸ケーブル３００の内部導体３０２と半田によって接続される端子であり、薄肉の金属板を加工して形成したものである。また図４〜図６，図１３，図１４，図１８〜図２０，図３５に示すように、ターミナル１７は、これをターミナル差込部１３に差し込んだときの状態において、前後方向に間隔を開けて設けられた前立脚１７１ｆ，後立脚１７１ｒと、これらの脚の上に設けられ、両脚１７１ｆ，１７１ｒをそれらの一端で連結する連結部１７２を有しており、恰も鳥居のごとき形状をした双脚形状をしている。
【００３４】
後立脚１７１ｒの内側には、差込孔１３１に差し込まれたターミナル１７が外れないようにするための係止片１７３が形成されている（図１３，図１４参照）。ターミナル１７は、各立脚１７１ｆ，１７１ｒの自由端側をターミナル１７の先端としてターミナル差込部１３の差込孔１３１に収納される。
【００３５】
ターミナル１７を差込孔１３１に差し込むと、係止片１７３がターミナル保持部１３３に食い込むため（図５，図６参照）、ターミナル１７は外れなくなる。
【００３６】
図１３〜図２３に示すように、連結部１７２は、同軸ケーブル３００の内部導体３０２と半田される領域である半田領域１７４を有し、この半田領域１７４にはフィレット収容のために連結部１７２の長手方向に沿って長く形成された窪み１７４ａがある。窪み１７４ａはその横断面で底面が弧状である（図１３，図２１参照）。窪み１７４ａは打刻によって形成される。
【００３７】
半田領域１７４の形成箇所は、連結部１７２の一面であって、ターミナル１７の差し込み方向と反対方向に位置する面である（図１３における上面）。
また、半田領域１７４は、ターミナル１７の連結部１７２において、半田領域１７４が形成されていない他の平面域１７６に比べて左右方向において幅広であり（図１３〜図１８参照）、当該半田領域１７４をこのように幅広に形成することで、他の平面域１７６との境界部分に段差１７８が形成されている（図１３〜図１９参照）。
【００３８】
当該段差１７８があることにより、連結部１７２の両側面には、半田領域１７４に連続しかつ両側面における他の側面域１７５よりも突出した平坦な島状領域である段差部１７９が形成される（図１３〜図２０参照）。段差部１７９は、非段差部を殴打することで形成する。
【００３９】
ハウジング７の中間部１５は、図４〜図６に示すように、同軸ケーブル３００の内部絶縁体３０４が設置される内部絶縁体設置部１５１を有する。内部絶縁体設置部１５１は、左右方向において、同軸ケーブル３００の数と同数連続して形成されている。また、内部絶縁体設置部１５１は、そこに内部絶縁体３０４を設置したときにその座りが良いように、Ｓの字を横倒しにしたごとき断面形状であり、当該断面のうち内部絶縁体３０４が設置される部分の曲率は、内部絶縁体３０４の曲率と同じにされている（図４，図２４〜図２７参照）。
【００４０】
コネクタ１のシェル９は導電性を有する金属でできている。またシェル９は、ハウジング７をカバーするものであるから、ハウジングと同様、平面形状で長四角形状とされている（図４参照）。そして、シェル９の前縁は、下方から後方へ折り返し状に曲げられた折返し部９１とされ（図５参照）、シェル９の両側縁はそれらの後部が下方に垂下され、ハウジング７をそのケーブル保持部１１において両側から抱きかかえるように、先端が内側に折り曲げられた両脇腕９３ｆ，９３ｒとされている（図１，図４等参照）。この時、両脇腕９３ｆ，９３ｒがグランドバー１９の底部に当接した状態となり、電気的に接触する（図５，図８〜図１０等参照）。また両側縁のうち前縁寄りには、コネクタ１を相手方コネクタ２と組み付けるための係止片９５ｆ，９５ｒが形成されている（図１，図２参照）。
【００４１】
係止片９５ｆ，９５ｒは、下方に垂下された舌片をその中央部で上方へ折り返すことで垂直断面でほぼＵ字形にされた形状体であり、その開口を閉じるように外力が加わると、弾撥力を生じるようになっている。そして、その先端は側方へわずかに折り曲げられている。
【００４２】
シェル９の天井面におけるほぼ後半面には、その後縁に沿って左右方向に延びる浅めで長四角形状をした平面凹部９７が形成されている。平面凹部９７には、ケーブル保持具１６Ａ，１６Ｂが挿通される貫通孔９７Ａ，９７Ｂが、図４に示すように、ケーブル保持具１６Ａ，１６Ｂと同数（図では１０孔）形成されている。貫通孔９７Ａ，９７Ｂも貫通孔１９１Ａ，１９１Ｂおよびケーブル保持具装着穴１１１Ａ，１１１Ｂと同様、前後方向において平行かつ左右方向に偏倚されて形成されているが（図４，図８，図９参照）、貫通孔９７Ａ，９７Ｂの方が大きい。
そしてシェル９をハウジング７に装着したときに、シェル９の貫通孔９７Ａ，９７Ｂが、グランドバー１９の貫通孔１９１Ａ，１９１Ｂおよびハウジング７のケーブル保持具装着穴１１１Ａ，１１１Ｂと対向するようにされている（図５及び図６参照）。
【００４３】
なお、ケーブル保持具１６Ａおよび１６Ｂを既述のように、ケーブル保持具装着穴１１１Ａ，１１１Ｂに嵌合したときに（図５，図６参照）、これらケーブル保持具１６Ａおよび１６Ｂの基板部１６ａが、前記貫通孔９７Ａ／９７Ｂ内に臨むように（図５，図６，図８および図９参照）、ケーブル保持具１６Ａおよび１６Ｂの脚１６ｂの長さおよびハウジング７のケーブル保持具装着穴１１１Ａ，１１１Ｂの深さ寸法その他の寸法が設定されている。また、基板部１６ａは、 幅方向において、貫通孔９７Ａ，９７Ｂよりもわずかに大きくされ、よってケーブル保持具１６Ａおよび１６Ｂをハウジング７に完全に嵌合すると、基板部１６ａは、貫通孔９７Ａ／９７Ｂに対してしまり嵌め状態になるため、抜けが防止されると共に、シェル９とケーブル保持具１６Ａ，１６Ｂとの電気的な接触が確実になる。
【００４４】
次にこのようなコネクタ１の組み付け手順（１）〜（６）を図２４〜図３２およびこれらに関連する図を参照しながら説明する。なお、同軸ケーブル３００は前もって外皮が剥離され、内部絶縁体３０４から内部導体３０２が露出された信号線３０６と、その直後に位置し外部絶縁体３１０が残されている残皮部分３１０’と、残皮部分３１０’の直後に位置し外部絶縁体３１０のみが剥離され外部導体３０８が露出された部位とを有する先端部３００ａ（図５及び図６参照）が形成されているものとする。
【００４５】
（１）ハウジング７の差込孔１３１にターミナル１７を差し込んで、ターミナル１７をハウジング７取り付ける（図２４，図２５参照）。
【００４６】
（２）グランドバー１９をケーブル保持部１１に取り付ける（図２５，図２６参照）。
【００４７】
（３）ターミナル１７と同軸ケーブル３００の内部導体３０２とを半田付けする（図１８〜図２３，図２７参照）。図１８〜図２３において符号Ｈが示すものは半田（線状半田）である。また符号Ｈｉが示唆するものは半田融着装置（パルスヒート又は半田鏝）である。
【００４８】
半田付けの手順は、図１８および図２１に示すように、窪み１７４ａ上において、半田Ｈをターミナル１７の長手方向に対して直交させ、その上に同軸ケーブル３００の内部導体３０２をターミナル１７と平行になるように載せる（手順１）。
【００４９】
次に図１９および図２２に示すように、半田融着装置（パルスヒート又は半田鏝）Ｈｉを内部導体３０２の上に載せて加熱し、半田を溶融させる（手順２）。
【００５０】
溶融した半田Ｈは図２０および図２３に示すように、窪み１７４ａに入り込み、そこでフィレットＦｈ(グラデーション部分)を形成し、半田付け作業が終了する（手順３）。
【００５１】
（４）同軸ケーブル３００がターミナル１７に半田付けされた状態のハウジング７をシェル９で被覆する（図２７，図２８参照）。
【００５２】
（５）ケーブル保持具１６Ａを貫通孔９７Ａ，貫通孔１９１Ａ，ケーブル保持具装着穴１１１Ａに挿通する（図２９，図３０，図３３，図３４，図８，図５，図７参照）。
【００５３】
（６）ケーブル保持具１６Ｂを貫通孔９７Ｂ，貫通孔１９１Ｂ，ケーブル保持具装着穴１１１Ｂに挿通する（図３１，図３２，図９，図７参照）。
【００５４】
次に図１，図２，図５および図６を参照しながら、相手方コネクタ２について説明する。
相手方コネクタ２は、合成樹脂その他の絶縁性樹脂からなる相手方ハウジング２１と、この相手方ハウジング２１に装着され、コネクタ１と相手方コネクタ２とが嵌合されると（図５参照）、当該コネクタ１のターミナル１７と接触する相手方ターミナル２７と、相手方ハウジング２１を被覆する相手方シェル２９とを有する。
【００５５】
相手方ハウジング２１は、ハウジング７と同様、平面形状で長四角形状とされている。また、相手方ハウジング２１は、相手方ターミナル２７が差し込まれる部位であって、相手方ターミナル２７の数と同数が長手方向（左右方向）に並列して設けられる相手方ターミナル差込部２３を有する（図１，図５参照）。また、相手方ハウジング２１の後縁部両側には、相手方シェル２９を取り付けるための係止突起２１１が形成されている（図１参照）。
【００５６】
相手方ターミナル２７は、薄肉の金属板を加工して形成したものであり、図５および図６からわかるように、Ｅの字を横倒しにしたごとき形体の主部２７１とＬの字を横倒しにしたごとき形体の延在部２７３とを有し、これらを前後方向に直列して連結したごとき形状をしている。そして、相手方ターミナル２７は、これをその主部２７１を相手方ハウジング２１の相手方ターミナル差込部２３に圧入固定することで相手方ハウジング２１に取り付けられるように、主部２７１には圧入片２７１ａが設けられており、これに対するように相手方ターミナル差込部２３には、圧入孔２３ａが設けられている（図５及び図６参照）。
【００５７】
延在部２７３は、コネクタ１と相手方コネクタ２とを結合したときに延在部２７３の空間Ｓ内にターミナル１７が内嵌される部分である（図５，図６参照）。そして、その先端
はターミナル１７側に屈曲した突起状の先端部２７３ａとされ、先端部２７３ａがコネクタ１のターミナル１７の後立脚１７１ｒと接触することで、コネクタ１と相手方コネクタ２との間での電気的な接触が行われるようになっている。
【００５８】
相手方シェル２９は、当該シェル２９がコネクタ１のシェル９と結合することで、コネクタ１と相手方コネクタ２とを組み付けるためのものである。相手方シェル２９は、相手方ハウジング２１の前縁部および両側部を覆うようになっており、相手方コネクタ２の前縁部には相手方コネクタ２に嵌合するコネクタ１の誘い込み、及び逆押し防止のための規制板２９１が立ち上げ状に設けられ、規制板２９１の両側には、相手方ハウジング２１の両側部を覆う覆部２９３ｆ，２９３ｒが設けられている（図１，図２参照）。
【００５９】
覆部２９３ｆ，２９３ｒには、シェル９の係止片９５ｆ，９５ｒと係合する係合孔２９５ｆ，２９５ｒが設けられている（図１，図２参照）。係合孔２９５ｆ，２９５ｒは、シェル２９の係止片９５ｆ，９５ｒに外力が加えられず、したがってその開口が閉じられていない状態にある時の係止片９５ｆ，９５ｒの厚み寸法よりも幅方向（左右方向）において幾分大きな寸法とされている。さらに係合孔２９５ｆ，２９５ｒ間の距離は、係止片９５ｆ，９５ｒ間の距離より、わずかに小さく設定されている。
【００６０】
また、覆部２９３ｆ，２９３ｒの各後面には、相手方ハウジング２１の係止突起２１１と係合する係合孔２９７が形成されている。このようなコネクタ１と相手方コネクタ２との組み付けを行うには、相手方コネクタ２の上方からコネクタ１を取り付ける（図１，図２，図５および図６参照）。
【００６１】
この時、コネクタ１の係止片９５ｆ，９５ｒが、相手方コネクタ２の係合孔２９５ｆ，２９５ｒに入るようにコネクタ１および相手方コネクタ２の向きを揃える。係合孔２９５ｆ，２９５ｒは、シェル９の係止片９５ｆ，９５ｒに外力が加わっていない時の厚み寸法よりもその幅方向（左右方向）において大きいため、係止片９５ｆ，９５ｒは、これが係合孔２９５ｆ，２９５ｒに容易に押し込まれるが、係合孔２９５ｆ，２９５ｒ間の距離は、係止片９５ｆ，９５ｒ間の距離より、わずかに小さく設定されているため、コネクタ１と相手方コネクタ２とを組み付けると、コネクタ１の係止片９５ｆ，９５ｒには、それらの開口が閉じられるように相手方コネクタ２から外力が加わる。このため、係止片９５ｆ，９５ｒには弾撥力が生じ、この弾撥力によって係合孔２９５ｆ，２９５ｒから係止片９５ｆ，９５ｒは抜けなくなる。したがって、コネクタ１と相手方コネクタ２との結合が強固な状態で、コネクタ１と相手方コネクタ２とが組み合わされる。
【００６２】
次に上記した構成のコネクタ１の作用効果について述べる。
コネクタ１のターミナル１７には窪み１７４ａが形成されているので、溶融した半田Ｈは窪み１７４ａに収容される。このため、溶融した半田Ｈの大半は、窪み１７４ａの周囲に広がらずにそこでフィレットＦｈを形成する（図１８〜図２３）。よって、半田領域１７４に窪み１７４ａが無い従来のターミナルの場合（図３５（ｂ）参照）と比べ、半田Ｈはターミナル１７の表面を広がり難くなる（図３５（ａ）参照）。窪み１７４ａにフィレットＦｈが形成されることで、ターミナル１７とフィレットＦｈとの結合は立体的になり、体積が増大し、恰もターミナル１７に根が生えたようになる（図２３参照）。
【００６３】
また窪み１７４ａは、その横断面形状で底面が弧状であるから、同じく底面が矩形状の場合と比べ、底面の溶融半田との接触面積が大きくなる（図２３参照）。よって、ターミナル１７と内部導体３０２との結合力を一層高めることができる。
【００６４】
さらに、コネクタ１は島状領域である段差部１７９が形成されているので、譬え溶融した半田Ｈの量が多めであっても、図３５（ａ）に示すように段差部１７９の周囲に溶融し
た半田Ｈが回り込むため、図３５（ｂ）のように段差部１７９が形成されていない場合に比べ、溶融した半田Ｈが他の側面域１７５に不必要に拡がるのを抑制する。その結果、前立脚１７１ｆ及び後立脚１７１ｒの、相手方ターミナル２７の先端部２７３ａと接触する部分に、半田が流れ込むことを防止している。
【００６５】
この結果、フィレットＦｈを介してターミナル１７に結合される同軸ケーブル３００の内部導体３０２のターミナル１７に対する結合力は、フィレットＦｈの幅寸法を小さくしてもその強度を保持できるので、ターミナル１７と内部導体３０２との結合力をこれまで通り維持しながら、ターミナル１７の幅寸法を小さくできる。よって、コネクタ１のターミナル１７が並列される方向における寸法を小さくできる。
【００６６】
また、コネクタ１は、ケーブル保持具１６Ａ，１６Ｂを装着する装着穴１１１Ａ，１１１Ｂがハウジング７に設けられ、シェル９には、この装着穴１１１Ａ，１１１Ｂと対向する貫通孔９７Ａ，９７Ｂが設けられ、この貫通孔９７Ａ，９７Ｂ経由で前記装着穴１１１Ａ，１１１Ｂにケーブル保持具１６Ａ，１６Ｂを装着すると、ケーブル保持具１６Ａ，１６Ｂは、同軸ケーブル３００を騎馬状に挟持した状態でハウジング７に収納されるので、同軸ケーブル３００をハウジング７に保持するのに半田が不要になる。
【００６７】
そして、ケーブル保持具１６Ａ，１６Ｂは、これが前記貫通孔９７Ａ，９７Ｂ経由でケーブル保持具装着穴１１１Ａ，１１１Ｂに装着されたときに、基板部１６ａが前記貫通孔９７Ａ，９７Ｂ内に位置するようになっているが（図５，図６，図８および図９参照）、この状態を、ハウジング７のケーブル保持具装着穴１１１Ａ，１１１Ｂにケーブル保持具１６Ａ，１６Ｂを装着してからハウジング７を貫通孔９７Ａ，９７Ｂの無いシェルで被覆する場合と比較すると、両者ともケーブル保持具１６Ａ，１６Ｂの脚１６ｂの長さが同じで、ケーブル保持具装着穴１１１Ａ，１１１Ｂへの当該脚１６ｂの挿通量が同じであれば、本コネクタ１に係るケーブル保持具１６Ａ，１６Ｂは、その基板部１６ａがシェル９の貫通孔９７Ａ，９７Ｂ内に臨むので、その分だけコネクタ１の高さ寸法Ｈを小さくできることがわかる。
【００６８】
図３６は、実際の比較例である。図３６（ａ）は本施形態に係るシェル９であり、同（ｂ）は貫通孔のないシェル９Ａが適用されたコネクタ１Ａである。高さ寸法が寸法Ｃだけ、すなわちケーブル保持具１６Ａ，１６Ｂの基板部１６ａがシェル９の貫通孔９７Ａ，９７Ｂ内に臨んだ分だけ小さくなったことがわかる。なお、図３６（ａ），（ｂ）で同一部材には同一符号を付してある。
【００６９】
さらに、コネクタ１にあっては、ケーブル保持具１６Ａ，１６Ｂを用いて同軸ケーブル３００をハウジング７に保持し、ハウジング７に同軸ケーブル３００を保持するのに半田は使用しないため、半田上がりによる電線硬化を防止できる。
【００７０】
さらにまた、多数の同軸ケーブル３００を並列することでフラット状したケーブルを一端（図４中、左側）から数えて偶数番目の同軸ケーブル３００Ａおよび奇数番目の同軸ケーブル３００Ｂをそれぞれ保持するケーブル保持具を偶数ケーブル保持具１６Ａおよび奇数ケーブル保持具１６Ｂに分けているとともに、当該ケーブル保持具１６Ａ，１６Ｂを前後方向において平行かつ左右方向に偏倚させて配置できるようになっているので、偶数ケーブル保持具１６Ａは偶数番目の同軸ケーブル３００Ａのみを確実に保持し、奇数ケーブル保持具１６Ｂは奇数番目の同軸ケーブル３００Ｂを確実に保持する。したがって、保持が不十分な同軸ケーブル３００が存在しないようにできる。
【００７１】
そして、当該ケーブル保持具１６Ａ，１６Ｂの各脚１６ｂは、これらが、ハウジング７のケーブル保持具装着穴１１１Ａ，１１１Ｂに挿入されると、ケーブル保持具装着穴１１
１Ａおよび１１１Ｂの各間口Ｗ２は、脚１６ｂ同士の各間口Ｗ１とほぼ同じ大きさにされており、ケーブル保持具装着穴１１１Ａ，１１１Ｂは、垂直断面でみると截頭二等辺三角形を倒立させたごとき上方で大きく下方で小さな先細りの穴部であるから、ケーブル保持具１６Ａ，１６Ｂをそれぞれケーブル保持具装着穴１１１Ａ，１１１Ｂに深く挿入するほどケーブル保持具１６Ａ，１６Ｂの各双脚形状部の間の間隔は狭まるため、それに応じて双脚形状部に挟持された同軸ケーブル３００を保持する力も大きくなる。
【００７２】
よって同軸ケーブル３００の接続の信頼性が高まる。このため、ケーブル保持具１６Ａ，１６Ｂをケーブル保持具装着穴１１１Ａ，１１１Ｂに挿入するだけで同軸ケーブル３００の一本一本を確実に挟み込むことができる。しかも、同軸ケーブル３００は、ケーブル保持具１６Ａ，１６Ｂの基板部１６ａおよびグランドバー１９で、同軸ケーブル３００の上下を挟み込み、同軸ケーブル３００の左右は双脚形状部を構成する一対の脚１６ｂ，１６ｂで挟持する機械的接続を行う。また、既述のように、ケーブル保持具１６Ａ，１６Ｂをケーブル保持具装着穴１１１Ａ，１１１Ｂに挿入することで、同軸ケーブル３００の外部導体３０８が、シェル９とその両脇腕９３ｆ，９３ｒを介して接触しているグランドバー１９と、ケーブル保持具１６Ａ，１６Ｂとによって、それぞれ下および上で挟み込まれて電気的に接触する（図５，図６，図８，図３３，図３４参照）。よって、ケーブル保持具１６Ａ，１６Ｂは、同軸ケーブル３００の電気的接続および機械的接続の両方を同時に行える。このため作業性が向上する。
【００７３】
加えてこの実施形態に係る同軸ケーブル用コネクタでは、信号線３０６を被覆する多数の電線を横巻き状又は網状にしてなる外部導体を含む同軸ケーブル（網組同軸ケーブル）を対象にした場合を例示したが、ターミナル１７に半田付けをすることのみに使用するのであれば、外部導体が銅パイプ製のいわゆるセミリジッド構造の同軸ケーブルや、同軸ケーブル以外の所謂ディスクリート線であってもよい。
【００７４】
尚、本発明は、上述の図示例にのみ限定されるものではなく、本発明の要旨を逸脱しない範囲内において種々変更を加え得ることは勿論である。
【図面の簡単な説明】
【００７５】
【図１】本発明に係るコネクタを相手方コネクタに組み付ける前の状態を相手方コネクタと共に示す斜視図である。
【図２】相手方コネクタと本発明に係るコネクタとを組み付けた状態を示す斜視図およびその要部拡大図である。
【図３】本発明に係るコネクタの適用例であって、折り畳み形式の携帯電話に用いた場合を示す斜視図である。
【図４】本発明に係るコネクタの分解斜視図である。
【図５】図１の横断面図である。
【図６】図２の横断面図である。
【図７】本発明に係るコネクタの一部切き欠側面図と一部切欠き平面図をまとめて示し、（ａ）が一部切欠き平面図であり、（ｂ）が一部切欠き側面図である。
【図８】図７のＡ−Ａ線拡大断面図である。
【図９】図７のＢ−Ｂ線拡大断面図である。
【図１０】図７のＣ−Ｃ線拡大断面図である。
【図１１】ケーブル保持具の斜視図である。
【図１２】ケーブル保持具の正面図および側面図をまとめて示し、（ａ）が正面図であり、（ｂ）が側面図である。
【図１３】ターミナルを一方向から見た斜視図である。
【図１４】ターミナルを別方向から見た斜視図である。
【図１５】ハウジングのうちターミナルを含む部分の要部拡大平面図である。
【図１６】図１５の要部横断面図である。
【図１７】図１４においてターミナルに同軸ケーブルの内部導体をおいた場合の要部拡大平面図である。
【図１８】ターミナルと同軸ケーブルの内部導体とを半田付けする手順のうち第１手順を示す斜視図である。
【図１９】ターミナルと同軸ケーブルの内部導体とを半田付けする手順のうち第２手順を示す斜視図である。
【図２０】ターミナルと同軸ケーブルの内部導体とを半田付けする手順のうち第３手順を示す斜視図である。
【図２１】図１８の要部断面図と要部側断面図とを共に示し、（ａ）が要部断面図であり、（ｂ）が要部側断面図である。
【図２２】図１９の要部断面図と要部側断面図とを共に示し、（ａ）が要部断面図であり、（ｂ）が要部側断面図である。
【図２３】図２０の要部断面図と要部側断面図とを共に示し、（ａ）が要部断面図であり、（ｂ）が要部側断面図である。
【図２４】ハウジングの斜視図およびその要部拡大図である。
【図２５】図２４のハウジングにターミナルを取り付けた状態を示す斜視図およびその要部拡大図である。
【図２６】図２４のハウジングにグランドバーを取り付けた状態を示す斜視図およびその要部拡大図である。
【図２７】図２６のハウジングに同軸ケーブルを取り付けた状態を示す斜視図およびその要部拡大図である。
【図２８】図２７のハウジングにシェルを取り付けた状態を示す斜視図およびその要部拡大図である。
【図２９】図２８のハウジングに図中左から数えて奇数番目の同軸ケーブルを保持するケーブル保持具を組み込む直前の状態を示す斜視図およびその要部拡大図である。
【図３０】図２９のケーブル保持具をハウジングに組み込んだ直後の状態を示す斜視図およびその要部拡大図である。
【図３１】図３０のハウジングに図中左から数えて偶数番目の同軸ケーブルを保持するケーブル保持具を組み込む直前の状態を示す斜視図およびその要部拡大図である。。
【図３２】図３１のケーブル保持具をハウジングに組み込んだ直後の状態を示す斜視図およびその要部拡大図である。
【図３３】ハウジングに図中左から数えて奇数番目の同軸ケーブルを保持するケーブル保持具を組み込む直前の状態を示す垂直拡大断面図である。
【図３４】図３３に連続する図であって、ケーブル保持具をハウジングに組み込んだ直後の状態を示す図である。
【図３５】本発明に係るターミナルと、窪みおよび段差部が形成されていない従来のターミナルとを比較して示す図であり、（ａ）は本発明に係るターミナルであり、（ｂ）は従来のターミナルである。
【図３６】本発明に係るコネクタのシェルに貫通孔を形成した場合としなかった場合の効果を比較して説明するための図であり、（ａ）は本発明に係るシェルであり、（ｂ）は貫通孔のないシェルである。
【図３７】同軸ケーブルを示す斜視図である。
【図３８】同軸ケーブルの拡大横断面図である。
【図３９】同軸ケーブルがターミナルに半田付けされている状態を説明する図である。
【符号の説明】
【００７６】
１  コネクタ
１Ａ  コネクタ
２  相手方コネクタ
３  携帯電話
３ａ  液晶画面
３ｂ  操作ボタン
７  ハウジング
９  シェル
９Ａ  シェル
１１  ケーブル保持部
１３  ターミナル差込部
１５  中間部
１６Ａ  奇数番号のケーブルを保持するケーブル保持具
１６Ｂ  偶数番号のケーブルを保持するケーブル保持具
１６ａ  基板部
１６ｂ  立脚
１６ｃ  溝
１７  ターミナル
１９  グランドバー
２１  相手方ハウジング
２３  相手方ターミナル差込部
２３ａ  圧入孔
２７  相手方ターミナル
２９  相手方シェル
９１  折返し部
９３ｆ，９３ｒ    脇腕
９５ｆ，９５ｒ  係止片
９７  平面凹部
９７Ａ  貫通孔
９７Ｂ  貫通孔
１１１Ａ，１１１Ｂ  ケーブル保持具装着穴
１１３  仕切壁
１３１  差込孔
１３３  ターミナル保持部
１５１  内部絶縁体設置部
１７１ｆ  前立脚
１７１ｒ  後立脚
１７２  連結部
１７３  係止片
１７４  半田領域
１７４ａ  窪み
１７５  連結部の両側面における他の側面域
１７６  半田領域が形成されていない他の平面域
１７８  段差
１７９  段差部
１９１Ａ  貫通孔
１９１Ｂ  貫通孔
２１１  係止突起
２７１  主部
２７３  延在部
２７３ａ  先端部
２９１  規制板
２９３ｆ，２９３ｒ  覆部
２９５ｆ，２９５ｒ  係合孔
２９７  係合孔
３００  同軸ケーブル
３００Ａ  奇数番目の同軸ケーブル
３００Ｂ  偶数番目の同軸ケーブル
３００ａ  先端部
３０２  内部導体
３０４  内部絶縁体
３０６  信号線
３０８  外部導体
３１０  外部絶縁体
３１０’  外部絶縁体の残皮部分
３１２  ターミナル
Ｃ  寸法
Ｆｈ  フィレット
Ｈ  半田
Ｈｉ  半田融着装置
Ｗ１  各間口
Ｗ２  各間口
【図１】
2006244731.tif 000003
【図２】
2006244731.tif 000004
【図３】
2006244731.tif 000005
【図４】
2006244731.tif 000006
【図５】
2006244731.tif 000007
【図６】
2006244731.tif 000008
【図７】
2006244731.tif 000009
【図８】
2006244731.tif 000010
【図９】
2006244731.tif 000011
【図１０】
2006244731.tif 000012
【図１１】
2006244731.tif 000013
【図１２】
2006244731.tif 000014
【図１３】
2006244731.tif 000015
【図１４】
2006244731.tif 000016
【図１５】
2006244731.tif 000017
【図１６】
2006244731.tif 000018
【図１７】
2006244731.tif 000019
【図１８】
2006244731.tif 000020
【図１９】
2006244731.tif 000021
【図２０】
2006244731.tif 000022
【図２１】
2006244731.tif 000023
【図２２】
2006244731.tif 000024
【図２３】
2006244731.tif 000025
【図２４】
2006244731.tif 000026
【図２５】
2006244731.tif 000027
【図２６】
2006244731.tif 000028
【図２７】
2006244731.tif 000029
【図２８】
2006244731.tif 000030
【図２９】
2006244731.tif 000031
【図３０】
2006244731.tif 000032
【図３１】
2006244731.tif 000033
【図３２】
2006244731.tif 000034
【図３３】
2006244731.tif 000035
【図３４】
2006244731.tif 000036
【図３５】
2006244731.tif 000037
【図３６】
2006244731.tif 000038
【図３７】
2006244731.tif 000039
【図３８】
2006244731.tif 000040
【図３９】
2006244731.tif 000041